(57)【要約】【課題】  本発明は、広告などを表示するための表示片を有し、物品の包装を容易に行え且つ包装した物品が脱落し難い包装体を提供する。【解決手段】  本発明の包装体は、対向する上壁４１及び下壁４２を有し、上壁４１の第１縁４１１と下壁４２の第１縁４２１の間に物品挿入口２１が開口されているケース本体４と、上壁４１の第１縁４１１に連設され且つその第１縁４１１で折り曲げることによって立ち上げられた表示片６と、を有する包装ケース２と、包装ケース２の収納部内に収納された物品３と、を有する包装体であって、立ち上げられた表示片６から下方に延設された係止片７と、下壁４２の第１縁４２１に連設され且つ収納部内に折り曲げられた付勢片５と、を有し、前記付勢片５が、下壁４２の内面と物品３の底面の間に介在し且つ物品３を上方に付勢しており、係止片７が、前記物品３の側面３２の上方部を係止している。【選択図】  図４
2011240929.tif 000002
【特許請求の範囲】
【請求項１】
対向する上壁及び下壁を有し、前記上壁の第１縁と下壁の第１縁の間に物品挿入口が開口されているケース本体と、前記上壁の第１縁に連設され且つその第１縁で折り曲げることによって立ち上げられた表示片と、を有する包装ケースと、
前記包装ケースの収納部内に収納された物品と、
を有する包装体であって、
前記立ち上げられた表示片から下方に延設された係止片と、前記下壁の第１縁に連設され且つ前記収納部内に折り曲げられた付勢片と、を有し、
前記付勢片が、前記下壁の内面と物品の底面の間に介在し且つ前記物品を上方に付勢しており、
前記係止片が、前記物品の側面の上方部を係止していることを特徴とする包装体。
【請求項２】
前記物品の底面が凹状部を有し、前記凹状部に前記付勢片の先端部が嵌っている、請求項１に記載の包装体。
【請求項３】
前記上壁及び下壁が、その各第１縁が下底に対応する略台形状であり、前記ケース本体が、前記上壁及び下壁の間に左右の側壁を有し、前記収納された物品の側面の一部分が、前記左右の側壁の各内面にそれぞれ接している、請求項１又は２に記載の包装体。
【請求項４】
対向する上壁及び下壁を有し、前記上壁の内面と下壁の内面の間に物品を収納する収納部が設けられ且つ前記上壁の第１縁と下壁の第１縁の間に物品挿入口が開口されているケース本体と、
前記上壁の第１縁に連設され且つその第１縁で折り曲げることによって立ち上げ可能な表示片と、
を有する包装ケースであって、
前記表示片の立ち上げに応じて前記上壁の第１縁よりも下方に延びる係止片と、前記下壁の第１縁に連設され且つ前記収納部内に折り曲げ可能な付勢片と、を有し、
前記収納部内に物品を収納した際に、前記係止片がその物品の側面の上方部を係止するように構成されていると共に、前記付勢片がその物品の底面と前記下壁の内面の間に介在し且つその物品を上方に付勢するように構成されていることを特徴とする包装ケース。
【請求項５】
前記上壁及び下壁が、その各第１縁が下底に対応する略台形状であり、前記ケース本体が、前記上壁及び下壁の間に左右の側壁を有する、請求項４に記載の包装ケース。
【発明の詳細な説明】
【技術分野】
【０００１】
本発明は、包装ケース内に物品が収納された包装体及び包装ケースに関する。
【背景技術】
【０００２】
従来、物品を包装する包装ケースは、合成樹脂製シートなどのシート材を組み立てて形成されている。包装ケースの中で、宣伝広告のため、表示片が立ち上げられているものが知られている。かかる包装ケースは、その表示片に商品名や特典情報などを表示しておくことによって目立ち易くなるため、消費者の購買意欲を喚起できる。
特許文献１には、表示部を有するケース本体と、ケース本体に収容される成形カバーと、を有し、成形カバーの凸部に物品を保持した状態で、この成形カバーの凸部がケース本体の嵌挿穴から突出されている包装ケースが開示されている。
特許文献１の包装ケースは、表示部に商品名などを表示しておくことによって、広告宣伝効果を高めることができる。
【０００３】
しかしながら、特許文献１の包装ケースは、ケース本体とは別個独立した成形カバーを用いて物品を保持するため、部品点数が多くなる。このため、これらの部品を別個に製造し且つ管理しなければならない。
また、特許文献１の包装ケースにおいては、ケース本体の収納開口を大きく拡げ、その開口から、凸部に物品を保持した成形カバーをケース本体内に挿入する。しかしながら、挿入時、物品を保持した成形カバーの凸部が邪魔になるので、前記成形カバーを収納開口から挿入し難い。この点、収納開口の面積を予め大きく設定しておくと、物品を保持した成形カバーの挿入も行い易くなるが、一方では、包装ケースの搬送中、ケース本体の嵌挿穴に入れた成形カバーが前記大きな収納開口から抜け落ちる虞がある。
【先行技術文献】
【特許文献】
【０００４】
【特許文献１】特開２００４−２９９７４０号公報
【発明の概要】
【発明が解決しようとする課題】
【０００５】
本発明の目的は、表示片を有し、物品の包装を容易に行え且つ包装した物品が脱落し難い包装体及び包装ケースを提供することである。
【課題を解決するための手段】
【０００６】
本発明の包装体は、対向する上壁及び下壁を有し、前記上壁の第１縁と下壁の第１縁の間に物品挿入口が開口されているケース本体と、前記上壁の第１縁に連設され且つその第１縁で折り曲げることによって立ち上げられた表示片と、を有する包装ケースと、前記包装ケースの収納部内に収納された物品と、を有する包装体であって、前記立ち上げられた表示片から下方に延設された係止片と、前記下壁の第１縁に連設され且つ前記収納部内に折り曲げられた付勢片と、を有し、前記付勢片が、前記下壁の内面と物品の底面の間に介在し且つ前記物品を上方に付勢しており、前記係止片が、前記物品の側面の上方部を係止している。
【０００７】
上記本発明の包装体は、包装ケースの表示片が立ち上がっているので目立ち易い。
また、上記包装体は、包装ケースの物品挿入口から物品を挿入し、収納部内に物品を収納できる。
収納された物品は、付勢片によって上方に付勢されているので、該物品が、上壁と付勢片の間に挟持される。さらに、表示片の下方に延設された係止片は、物品挿入口の一部を塞ぎ且つ物品の側面の上方部を係止しているので、収納された物品が物品挿入口から抜け難い。
従って、本発明の包装体は、搬送中に物品が脱落し難い。
【０００８】
本発明の好ましい包装体は、前記物品の底面が凹状部を有し、前記凹状部に前記付勢片の先端部が嵌っている。
【０００９】
上記好ましい包装体は、付勢片の先端部が物品の底面の凹状部に嵌っているので、物品が付勢片に係止される。このため、物品が物品挿入口側へ移動し難くなり、物品を包装ケース内に確実に保持した包装体を提供できる。
【００１０】
本発明の好ましい包装体は、前記上壁及び下壁が、その各第１縁が下底に対応する略台形状であり、前記ケース本体が、前記上壁及び下壁の間に左右の側壁を有し、前記収納された物品の側面の一部分が、前記左右の側壁の各内面にそれぞれ接している。
【００１１】
上記好ましい包装体は、第１縁が下底に対応する略台形状に上壁が形成されているので、この第１縁に連設された表示片を比較的幅広に形成できる。幅広の表示片は目立ち易いため、上記好ましい包装体は、より高い宣伝広告効果を発揮し得る。
さらに、上壁及び下壁を略台形状に形成することにより、収納された物品の側面の一部分が左右の側壁に接する。このため、包装ケースの前壁（物品挿入口に対向する面）を形成しなくても、物品を収納部内に保持できる。
【００１２】
本発明の別の局面によれば、包装ケースを提供する。
この包装ケースは、対向する上壁及び下壁を有し、前記上壁の内面と下壁の内面の間に物品を収納する収納部が設けられ且つ前記上壁の第１縁と下壁の第１縁の間に物品挿入口が開口されているケース本体と、前記上壁の第１縁に連設され且つその第１縁で折り曲げることによって立ち上げ可能な表示片と、を有する包装ケースであって、前記表示片の立ち上げに応じて前記上壁の第１縁よりも下方に延びる係止片と、前記下壁の第１縁に連設され且つ前記収納部内に折り曲げ可能な付勢片と、を有し、前記収納部内に物品を収納した際に、前記係止片がその物品の側面の上方部を係止するように構成されていると共に、前記付勢片がその物品の底面と前記下壁の内面の間に介在し且つその物品を上方に付勢するように構成されている。
【００１３】
本発明の好ましい包装ケースは、前記上壁及び下壁が、その各第１縁が下底に対応する略台形状であり、前記ケース本体が、前記上壁及び下壁の間に左右の側壁を有する。
【発明の効果】
【００１４】
本発明の包装体は、表示片を有するので、高い宣伝広告効果を発揮する。
さらに、本発明の包装体においては、物品挿入口が開口していても、収納された物品がその挿入口から脱落することなく、該物品を保持できる。
本発明の包装体に使用する包装ケースは、例えば、１枚のシート材から組み立てて形成することもできるので、その製造も容易に行える。
【図面の簡単な説明】
【００１５】
【図１】本発明の１つの実施形態に係る包装体の正面図。
【図２】同背面図。
【図３】同平面図。
【図４】図１のＩＶ−ＩＶ線断面図。
【図５】図２のＶ−Ｖ線断面図。
【図６】図３のＶＩ−ＶＩ線断面図。
【図７】同分解斜視図。
【図８】包装ケースの分解斜視図。
【図９】包装ケースを形成するシート材の展開図。
【図１０】包装ケースを扁平状にした状態の平面図。
【図１１】本発明の包装体の組み立て手順を示す参考斜視図。
【図１２】本発明の他の実施形態に係る包装体の正面図。
【図１３】同１２のＸＩＩＩ−ＸＩＩＩ線断面図。
【図１４】本発明の更なる他の実施形態に係る包装体の斜視図。
【図１５】同包装体の平面図。
【発明を実施するための形態】
【００１６】
以下、本発明の好ましい実施形態について、図面を参照しつつ具体的に説明する。なお、包装体を載置した状態を基準にして、上、下、左及び右という方向を示す用語を使用する。
【００１７】
図１〜図７に於いて、本発明の包装体１は、ケース本体４及び表示片６を有する包装ケース２と、包装ケース２の収納部内に収納された物品３と、を有する。
ケース本体４は、対向する上壁４１及び下壁４２を有し、前記上壁４１の第１縁４１１と下壁４２の第１縁４２１の間に物品挿入口２１が開口されている。表示片６は、上壁４１の第１縁４１１に連設され、且つその第１縁４１１において折り曲げて立ち上げられている。この表示片６の下方には、係止片７が延設されている。また、下壁４２の第１縁４２１には、付勢片５が連設されている。
【００１８】
包装ケース２に収納される物品３は、特に限定されない。物品３は、例えば、化粧品を入れた容器、お菓子を入れた容器、食品を入れた容器、玩具を入れた容器、機械部品を入れた容器などのような各種容器、機械部品自体などが挙げられる。
物品３の形状も特に限定されない。本実施形態では、略円筒状の外形を有する物品３（例えば、略円筒状の容器）が包装ケース２の収納部に収納されている。この物品３は、好ましくは、その底面に凹状部３１を有する。この凹状部３１は、所謂底上げ容器の如く、底面を上方に位置させることによって形成されている。凹状部３１の周面形状は、略円筒状の物品３の側面３２の周面形状と同様に、円弧状であることが好ましい。
【００１９】
包装ケース２は、１枚のシートを所定形状に裁断し、そのシート材を組み立てて形成されている。
なお、図８は、包装ケース２の斜視図であり、図９は、包装ケース２を形成するシート材の展開図である。図９の展開図においては、包装ケース２の各部に対応する箇所に、同一符号を付している。また、図９の展開図において、シート材に形成された全ての折り罫線を、一点鎖線で表している。本発明において、折り罫線は、特に限定されず、シート材の厚み方向を略Ｖ字状に刻んだ刻設線、短い貫通孔が断続的に形成されたミシン目線などが挙げられる。
【００２０】
包装ケース２を形成するシート材は、特に限定されず、従来公知のシートを用いることができる。シート材としては、例えば、合成樹脂製シート、金属蒸着層を有する合成樹脂製シート、厚紙、及びこれらの積層シートなどが挙げられる。好ましくは、合成樹脂製シートを含むシートが用いられ、より好ましくは、合成樹脂製シート（２枚以上の合成樹脂製シートが積層された樹脂製シートを含む）が用いられる。合成樹脂製シートの材質としては、例えば、ポリプロピレンやポリエチレンなどのポリオレフィン系、ポリエチレンテレフタレートなどのポリエステル系、ポリスチレン系、ポリアミド系などが挙げられる。特に、耐屈曲性（ヒンジ特性）に優れていることから、ポリプロピレン製シート、又はポリプロピレン製シートが積層された樹脂製シートが好ましい。上記シート材は、無色であることが好ましいが、透明性を損なわない範囲で着色されていてもよい。また、シート材には、必要に応じて、商品名などのデザインが印刷されていてもよい。シート材の厚みは、特に限定されないが、好ましくは０．２ｍｍ〜１．０ｍｍ程度である。ポリプロピレン製シートを用いる場合には、適度な剛性を有することから、シート材の厚みは、０．２ｍｍ〜０．６ｍｍが好ましい。
【００２１】
上記ケース本体４は、その内部に、物品３の収納するための空間部である収納部を有する。収納部は、対向する上壁４１の内面と下壁４２の内面の間に設けられている。
具体的には、ケース本体４は、上壁４１と、上壁４１に対向する下壁４２と、上壁４１の第２縁４１２と下壁４２の第２縁４２２の間に設けられた前壁４５と、上壁４１の第３縁４１３と下壁４２の第３縁４２３の間に設けられた左側壁４３と、上壁４１の第４縁４１４と下壁４２の第４縁４２４の間に設けられた右側壁４４と、を有する。上壁４１の第１縁４１１と下壁４２の第１縁４２１の間は閉塞されておらず、その間には、物品３を挿入するための物品挿入口２１が開口されている。この物品挿入口２１は、物品３を挿入できる大きさの開口（物品３の側面視形状と略同じ又はそれよりも大きい開口である）。
物品挿入口２１から収納部内に挿入された物品３の側面３２の一部分は、図５に示すように、左側壁４３の内面及び右側壁４４の内面にそれぞれ接している。
【００２２】
前記上壁４１及び下壁４２は、それぞれ平面視略台形状に形成されている。上壁４１及び下壁４２は、大きさが異なっていてもよいが、好ましくは、同形同大に形成されている。なお、上壁４１の第１縁４１１及び下壁４２の第１縁４２１が台形の下底に対応して、前記上壁４１及び下壁４２は略台形状に形成されている。
左側壁４３及び右側壁４４は、それぞれ略長方形状に形成されている。
このように上壁４１及び下壁４２が略台形状である上記包装ケース２においては、その収納部内に収納された物品３は、上壁４１の第２縁４１２及び下壁４２の第２縁４２２の間から外部に抜け出る虞がない。すなわち、収納部内に収納された物品３は、物品挿入口２１に対向する前壁４５を突き破って外部に抜け出る虞がない。
【００２３】
前壁４５は、図４及び図５などに示すように、上壁４１の第２縁４１２に連設された主片４５Ａと、下壁４２の第２縁４２２に連設された副片４５Ｂと、左側壁４３の第２縁４３２及び右側壁４４の第２縁４４２にそれぞれ連設された左第２フラップ片４３２Ｆ及び右第２フラップ片４４２Ｆと、からなる。この両第２フラップ片４３２Ｆ，４４２Ｆを内側に折り曲げ、さらに、副片４５Ｂを内側に折り曲げた後、副片４５Ｂの外面に重なるように主片４５Ａを折り曲げ、下壁４２の第２縁４２２の中央部に沿って形成された切込み部８１に、主片４５Ａの差込み部８２を差し込むことによって、前壁４５が形成されている（上壁４１の第２縁４１２と下壁４２の第２縁４２２の間が閉塞されている）。
【００２４】
また、上壁４１の第２縁４１２、第３縁４１３及び第４縁４１４と下壁４２の第２縁４２２、第３縁４２３及び第４縁４２４に沿って、折り罫線が形成されている。これらの折り罫線において、左側壁４３及び右側壁４４は、上壁４１及び下壁４２に対して略直角状にそれぞれ折り曲げられ、且つ、前壁４５を構成する主片４５Ａ、副片４５Ｂ及び両第２フラップ片４３２Ｆ，４４２Ｆは、上壁４１、下壁４２、左側壁４３及び右側壁４４に対して略直角状にそれぞれ折り曲げられている。
なお、本発明の包装ケース２は、１枚のシート材を用いて少なくとも１つの開口（物品挿入口２１）を有する箱型に形成されている。このため、離れた部分を連設するための糊代片８３が設けられている。本実施形態では、左側壁４３に連設された糊代片８３を下壁４２に接着することによって、上壁４１、下壁４２、左側壁４３及び右側壁４４からなり且つ一方に開口を有する箱型のケース本体４が構成されている。
【００２５】
次に、上記付勢片５は、下壁４２の第１縁４２１に連設されており、この第１縁４２１において収納部内に折り曲げ可能である。付勢片５は、その基部（下壁４２の第１縁４２１に連設された部分）よりも先端部が幅狭となる形状に形成されている。本実施形態においては、付勢片５は、その先端縁５１が円弧状をなすような形状に形成されている（例えば、図示したような平面視略半円状）。
この付勢片５の円弧状の先端縁５１の曲率は、物品３の凹状部３１の周面の曲率と略同じ又はそれよりも小さいことが好ましい。このような曲率を有する付勢片５は、その先端部が物品３の凹状部３１からはみ出ることなく、その先端部全体を物品３の凹状部３１に確実に嵌めることができる。
【００２６】
また、下壁４２の第１縁４２１において折り曲げやすくするために、この第１縁４２１に沿って折り罫線が形成されている。この折り罫線において、付勢片５は下壁４２の内面に対して鋭角となるように折り曲げられている。折り曲げられた付勢片５は、物品挿入口２１からケース本体４の収納部内に挿入され、下壁４２の内面と物品３の底面の間に介在している。折り曲げられた付勢片５が下壁４２と物品３の間に介在することによって、物品３は上壁４１に押し付けられるように上方に付勢されている。
【００２７】
さらに、折り曲げられた付勢片５の先端部は、図４及び図６に示すように、物品３の底面の凹状部３１に嵌っている。この付勢片５の先端縁５１は、図４及び図５に示すように、凹状部３１の周面に接しているか或いは凹状部３１の周面に近接している。付勢片５の先端部が物品３の凹状部３１に嵌まることによって、物品３が物品挿入口２１側へ移動することを防止している。特に、付勢片５の先端縁５１が、凹状部３１の周面に接する或いは近接していることにより、物品３は付勢片５によって係止され、物品３の動きを確実に防止できる。従って、付勢片５は、物品３を上方に押し付けてこれを動き難くしているだけでなく、物品挿入口２１から物品３が抜け出ないように係止している。
【００２８】
表示片６は、上壁４１の第１縁４１１に連設されている。表示片６は、この第１縁４１１において折り曲げ可能で且つ折り曲げによって上壁４１の面に対して略直角状に立ち上げ可能である。表示片６は、上壁４１の第１縁４１１と略同幅の略長方形状に形成されている。上壁４１が略台形状に形成され且つ上壁４１の第１縁４１１が台形の下底に対応しているので、表示片６の幅を広く確保できる。かかる幅広の表示片６は、目立ち易いため好ましい。
表示片６の表面又は／及び裏面には、商品名などのデザインが表示されている（デザイン表示は図示せず）。前記表示片６にデザインを表示する手段は特に限定されず、例えば、デザインを表示片６に印刷してもよいし、或いは、デザインが印刷されたラベルを表示片６に貼付してもよい。幅広の表示片６にデザインを施すことにより、高い宣伝広告効果を発揮できる包装体１を提供できる。
【００２９】
次に、上記係止片７は、表示片６の下方から延設されている。係止片７は、表示片６の立ち上げに応じて（連動して）上壁４１の第１縁４１１よりも下方に延び且つ物品挿入口２１の上方の一部に延出される。
具体的には、表示片６の中央部において上壁４１側に膨らむ円弧状の切込み部９が上壁４１の面内に形成されている。すなわち、両端部が下壁４２の第１縁４２１上にそれぞれ位置し且つ前記両端部の間が上壁４１側に膨らむ円弧状とされた切込み部９が、上壁４１の面内に形成されている。この切込み部９で囲われた領域が係止片７に相当する。
【００３０】
また、前記係止片７を除く上壁４１の第１縁４１１に沿って、折り罫線が形成されている。
この折り罫線において、表示片６は、略直角状に折り曲げられ、上壁４１に対して略直角状に立ち上げられている。表示片６を折り曲げると、切込み部９において係止片７が上壁４１から離反し、係止片７が表示片６と共に立ち上がる。この係止片７は、立ち上がった表示片６と同一平面上にあり、物品挿入口２１の上方の一部を塞ぐように、表示片６の下方に延びている。
この立ち上がった係止片７の先端縁は、収納された物品３の上面よりも下方に位置している。従って、前記係止片７は、物品３の側面３２の上方部に接しているか或いは近接している。この係止片７は、物品挿入口２１から物品３が外部に抜け出ないように、物品３の側面３２の上方部を係止している。
【００３１】
さらに、上記左側壁４３の第１縁４３１及び右側壁４４の第１縁４４１には、左第１フラップ片４３１Ｆ及び右第１フラップ片４４１Ｆがそれぞれ連設されている。また、左側壁４３の第１縁及び右側壁４４の第１縁に沿って、折り罫線が形成されている。この折り罫線において、左第１フラップ片４３１Ｆ及び右第１フラップ片４４１Ｆは、左側壁４３及び右側壁４４の内面に対して鋭角となるように、内側に折り曲げられている。折り曲げられた左第１フラップ片４３１Ｆ及び右第１フラップ片４４１Ｆの各先端縁は、物品３の側面３２の一部分に接している。かかる左第１フラップ片４３１Ｆ及び右第１フラップ片４４１Ｆも、物品挿入口２１から物品３が外部に抜け出ないように、補助的に物品３を係止している。もっとも、この左第１フラップ片４３１Ｆ及び／又は右第１フラップ片４４１Ｆは形成されていなくてもよい。これらが形成されていなくても、上記付勢片５及び係止片７を有するので、収納された物品３が物品挿入口２１から抜け出ることを防止できる。
【００３２】
なお、上記左第１フラップ片４３１Ｆ、左側壁４３及び左第２フラップ片４３２Ｆの各面内の中央部には、上壁４１の第３縁４１３と平行な左中央折り罫線８４が形成されている。上記右第１フラップ片４４１Ｆ、右側壁４４及び右第２フラップ片４４２Ｆの各面内の中央部には、上壁４１の第４縁４１４と平行な右中央折り罫線８５が形成されている。これらの各面を、左中央折り罫線８４及び右中央折り罫線８５において折り曲げることにより、図１０に示すように、包装ケース２を扁平状に折り畳むことができる。
本発明の包装ケース２は、不使用時には扁平状に折り畳むことができるので、保管・搬送の便に優れている。
【００３３】
上記包装ケース２に物品３を収納することによって、本発明の包装体１が得られる。
具体的には、図８の状態の包装ケース２の付勢片５を、下壁４２の第１縁４２１において折り曲げ、収納部内に挿入する。収納部内に入れられた付勢片５は、反発力によって、その先端縁５１が上壁４１の内面に接している（図１１（ａ）参照）。
次に、物品挿入口２１から収納部内に物品３を挿入する。物品３を入れていくに従い、物品３の底面が付勢片５を下壁４２側へ押し下げていく。物品３の側面３２の一部分が、左側壁４３の内面及び右側壁４４の内面に接する又は近接した際に、付勢片５の先端部が物品３の底面の凹状部３１に嵌り込む。この状態において、付勢片５は、底面（凹状部３１の底）から物品３を上方に付勢すると共に、付勢片５の先端縁５１は、凹状部３１の周面に接しているか或いは凹状部３１の周面に近接している。
【００３４】
次に、左第１フラップ片４３１Ｆ及び右第１フラップ片４４１Ｆを、左側壁４３の第１縁及び右側壁４４の第１縁において収納部内に折り曲げる。折り曲げられた左第１フラップ片４３１Ｆ及び右第１フラップ片４４１Ｆの各先端縁は、物品３の側面３２の一部分に接する。
最後に、表示片６を、上壁４１の第１縁４１１において上方に折り曲げる（図１１（ｂ）参照）。折り曲げられた表示片６は、上壁４１の外面に対して略直交するように立ち上がる。表示片６の折り曲げと同時に、係止片７が立ち上がる。立ち上がった係止片７は、表示片６の下方に延び、物品３の側面３２の上方部を係止する。
このようにして、図１〜図６に示すような包装体１を得ることができる。
【００３５】
本発明の包装体１は、包装ケース２の表示片６が上壁４１の上方に立ち上がっているので目立ち易い。かかる表示片６を有する包装体１は、消費者の目に止まり易く、消費者の購買意欲を喚起できる。
さらに、上記包装体１においては、包装ケース２の物品挿入口２１から物品３を挿入し且つ表示片６を折り曲げるという簡単な作業だけで、収納部内に物品３を収納し且つ保持できる。
収納された物品３は、付勢片５によって上方に付勢されているので、上壁４１と付勢片５の間に挟持される。さらに、付勢片５の先端部が物品３の底面の凹状部３１に嵌っているので、物品３が物品挿入口２１側へ移動し難くなる。加えて、表示片６の下方に延設された係止片７は、物品挿入口２１の一部を塞ぎ且つ物品３の側面３２の上方部を係止しているので、物品３が物品挿入口２１から抜け難くなる。
従って、上記包装体１においては、物品３が包装ケース２内に確実に保持される。
【００３６】
上記包装ケース２は、所定形状の１枚のシート材を組み立てることによって形成されている。具体的には、所定形状の１枚のシート材の糊代片８３を貼り付けるという非常に簡単な作業で、上記包装ケース２は形成されている。かかる包装ケース２は、製造容易で且つ安価であり、又、図１０に示すように扁平状に押し潰すことも可能である。
もっとも、上記包装ケース２は、１枚のシート材から形成される場合に限定されず、２枚以上のシート材を組み立てて形成されていてもよい。
【００３７】
なお、本発明は、上記実施形態に示す包装体に限られず、本発明の意図する範囲で適宜設計変更できる。以下、本発明の他の実施形態を説明するが、上記実施形態と同様の構成については、その説明を省略し、用語及び符号をそのまま援用する。
上記実施形態では、包装ケース２に前壁４５が形成されているが、図１２及び図１３に示すように、前壁４５が形成されていなくてもよい。上壁４１及び下壁４２がそれぞれ平面視略台形状に形成されている場合、左右の側壁４３，４４の間隔が物品挿入口２１から離れるに従って接近していくので、物品挿入口２１に対向する面を物品３の側面視形状よりも小さくできる。このため、前壁４５が形成されていない包装ケース２を用いても、収納部内に物品３を脱落しないように保持した包装体１を構成できる。
【００３８】
さらに、上記実施形態では、包装ケース２の上壁４１及び下壁４２がそれぞれ平面視略台形状に形成されているが、上壁４１及び下壁４２の形状はこれに限定されない。例えば、上壁４１及び下壁４２が、図１４及び図１５に示すように、それぞれ平面視略長方形状（正方形を含む）に形成されていてもよいし、或いは、図示しないが、それらが平面視略六角形状などの多角形状に形成されていてもよい。本発明の包装ケース２は、上記のような物品挿入口２１、表示片６、係止片７及び付勢片５を有することを条件として、上壁４１及び下壁４２の形状（及びそれに応じて左右の側壁又は前壁４５など）は様々に変更可能である。
【産業上の利用可能性】
【００３９】
本発明の包装体は、様々な物品を収納して陳列販売する用途に利用できる。
【符号の説明】
【００４０】
１…包装体、２…包装ケース、２１…物品挿入口、３…物品、３１…物品の凹状部、３２…物品の側面、４…ケース本体、４１…上壁、４１１…上壁の第１縁、４２…下壁、４２１…下壁の第１縁、４３…左側壁、４４…右側壁、４５…前壁、５…付勢片、５１…付勢片の先端縁、６…表示片、７…係止片
【図１】
2011240929.tif 000003
【図２】
2011240929.tif 000004
【図３】
2011240929.tif 000005
【図４】
2011240929.tif 000006
【図５】
2011240929.tif 000007
【図６】
2011240929.tif 000008
【図７】
2011240929.tif 000009
【図８】
2011240929.tif 000010
【図９】
2011240929.tif 000011
【図１０】
2011240929.tif 000012
【図１１】
2011240929.tif 000013
【図１２】
2011240929.tif 000014
【図１３】
2011240929.tif 000015
【図１４】
2011240929.tif 000016
【図１５】
2011240929.tif 000017